(57)【要約】【課題】この発明は洗浄液を噴射して床面を洗浄することができるようにした床面洗浄装置を提供することにある。【解決手段】床面Ｗを洗浄液６６で洗浄する床面洗浄装置であって、複数のキャスタ４２ａ、４２ｂを有し、床面Ｗを走行可能な装置本体４１と、装置本体に搭載された洗浄液タンク４８と、装置本体に設けられ洗浄液タンクから供給された洗浄液６６を加圧して床面に噴射する噴射ノズル５１を有する洗浄液噴射機構４７と、噴射ノズルより後方の装置本体に設けられ床面に向って開口する吸引ノズル７２を有し、床面に噴射された洗浄液を汚染物質とともに吸引する吸引機構６７と、装置本体に搭載され吸引機構によって吸引した洗浄液を汚染物質とともに貯留する貯留タンク６８とを具備したことを特徴とする。【選択図】図５
2006255398.tif 000002
【特許請求の範囲】
【請求項１】
床面を洗浄液で洗浄する床面洗浄装置であって、複数のキャスタを有し、床面を走行可能な装置本体と、前記装置本体に設けられ前記洗浄液を加温して高温スチームを発生する高温スチーム発生手段と、前記装置本体に設けられ前記高温スチーム発生手段によって発生した洗浄液を含む高温スチームを床面に向けて噴射する噴射手段と、前記装置本体の底部に上下方向に弾性的に支持され床面をブラッシングする電動ブラッシング機構と、前記装置本体に設けられ床面に向って開口し、床面に噴射された洗浄液を汚染物質とともに吸引力によって吸引する吸引手段と、前記装置本体に設けられ前記吸引手段によって吸引した洗浄液を汚染物質とともに貯留する貯留タンクと、前記装置本体の底部に上下方向に弾性的に支持され、前記噴射手段及び前記吸引手段よりも後側で、床面に接触して設けられ床面に噴射された洗浄液を汚染物質とともに掻き集めて前記吸引手段の吸引側に導くスクレーパーと、を具備したことを特徴とする床面洗浄装置。
【請求項２】
前記装置本体の底部には、弾性部材によって上下方向に弾性的に支持された支持部材を有し、この支持部材によって前記噴射手段、前記電動ブラッシング機構、吸引手段及びスクレーパーが支持されていることを特徴とする請求項１記載の床面洗浄装置。
【請求項３】
前記吸引手段は、バキュームポンプと、このバキュームポンプと配管を介して連通し、床面に向って開口する吸引ノズルを有し、前記配管の途中には吸引ホースを着脱可能に接続する接続部が設けられていることを特徴とする請求項１記載の床面洗浄装置。
【請求項４】
前記装置本体の後部には、床面を拭取るウエス拭取り機構が着脱可能に設けられていることを特徴とする請求項１記載の床面洗浄装置。
【請求項５】
床面を洗浄液で洗浄する床面洗浄装置であって、複数のキャスタを有し、床面を走行可能な装置本体と、前記装置本体に搭載された洗浄液タンクと、前記装置本体に設けられ前記洗浄液タンクから供給された洗浄液を加圧して前記床面に噴射する噴射ノズルを有する洗浄液噴射機構と、前記噴射ノズルより後方の装置本体に設けられ前記床面に向って開口する吸引ノズルを有し、前記床面に噴射された洗浄液を汚染物質とともに吸引する吸引機構と、前記装置本体に搭載され前記吸引機構によって吸引した洗浄液を汚染物質とともに貯留する貯留タンクと、を具備したことを特徴とする床面洗浄装置。
【請求項６】
前記洗浄液噴射機構は、モータによって回転する回転体と、この回転体と連動して往復運動する回動アームと、前記装置本体の前部に幅方向全体に亘って設けられたリニアガイドと、このリニアガイドに支持され前記回動アームと連動して前記装置本体の幅方向に往復直線運動する支持部材と、この支持部材に固定された前記噴射ノズルとから構成されていることを特徴とする請求項５記載の床面洗浄装置。
【請求項７】
前記洗浄液噴射機構は、前記装置本体の前部に幅方向全体に亘って架設され、モータによって回転するボールねじ軸と、このボールねじ軸に螺合され、該ボールねじ軸の回転に伴って前記装置本体の幅方向に往復直線運動するナット部を有する支持部材と、この支持部材に固定された前記噴射ノズルとから構成されていることを特徴とする請求項５記載の床面洗浄装置。
【請求項８】
前記装置本体の前部における少なくとも両側部には、前記噴射ノズルから前記床面に噴射された洗浄液の跳ね返り液の飛散を阻止する遮蔽板が前記床面に接近して設けられていることを特徴とする請求項５記載の床面洗浄装置。
【発明の詳細な説明】
【技術分野】
【０００１】
この発明はビルやマンションのロビーや廊下或いは地下通路などのような広い床面を洗浄するための床面洗浄装置に関する。
【背景技術】
【０００２】
ビルやマンションのロビーや廊下或いは地下通路などのような広い床面を洗浄する場合、通常は専門家である清掃業者によってつぎの手順で行なわれる。まず、洗浄する床面にモップを用いて弱酸性、中性、アルカリ性等の洗剤を塗布する。つぎに、洗剤が塗布された床面を回転式ポリッシャによって洗浄する。ポリッシャによる洗浄後に水道の蛇口に接続したホースを用いて水道水を床面に散水し、洗浄後の汚水と洗剤を洗い流す。その後、ウエットバキューム（バキューム吸引機）を使用して床面の水分を吸引した後、モップを用いて床面に残った水分をふき取って床面の洗浄が終了する。
【０００３】
しかしながら、このようにして床面を洗浄する場合、各作業ごとに使用する機材が異なる。つまり、回転式ポリッシャ−、バキューム吸引機、ホース、モップなどの機材を用い、それぞれの機材を用いた作業を複数の作業者によって順次行なわなければならない。そのため、作業者数が多くなるため、コストの上昇を招くということがあるばかりか、作業時間も長くなるということがあった。
【０００４】
そこで、本出願人は、床面を移動できる台車式の洗浄機本体に、床面に対して高圧蒸気を直接噴射して床面を洗浄する高圧蒸気噴射器を備え、さらに床面上の水分を掻き集め、ポンプによって吸引するとともに、吸引した水分を貯留する水分貯留タンクとを備えた床面洗浄機を、既に出願した（特許文献１参照。）。
【０００５】
前記床面洗浄機は、高圧蒸気（５０℃〜８０℃）はノズルボックスに導入され、ノズルボックスの多数の蒸気噴射ノズルから床面に対して直接噴射する。高圧蒸気が床面上に直接噴射すると、床面上に付着していた汚染物質は床面から剥離され、浮き上がった状態となる。この状態で、手押しハンドルを押しながら床面上を前進すると、水分とともに汚染物質は水分吸収器によって掻き集められるとともに吸引されて水分貯留タンクに集溜される。
【特許文献１】特開２００４−３５７７９３号公報
【発明の開示】
【発明が解決しようとする課題】
【０００６】
前記特許文献１によれば、ノズルボックスの多数の蒸気噴射ノズルから床面に対して直接噴射する高圧蒸気によって床面上に付着していた汚染物質が床面から剥離され、手押しハンドルを押しながら床面上を前進すると、水分とともに汚染物質は水分吸収器によって掻き集められる。しかし、床面にしつこく付着した汚染物質は床面から剥離され難く、床面洗浄機によって洗浄した後、残った汚染物質は手作業で剥離する必要がある。
【０００７】
この発明は、前記事情に着目してなされたもので、その目的とするところは、床面の洗浄作業を能率よく、しかも床面にしつこく付着した汚染物質まで床面から剥離して洗浄できる床面洗浄装置を提供することにある。
【課題を解決するための手段】
【０００８】
請求項１の発明は、床面を洗浄液で洗浄する床面洗浄装置であって、複数のキャスタを有し、床面を走行可能な装置本体と、前記装置本体に設けられ前記洗浄液を加温して高温スチームを発生する高温スチーム発生手段と、前記装置本体に設けられ前記高温スチーム発生手段によって発生した洗浄液を含む高温スチームを床面に向けて噴射する噴射手段と、前記装置本体の底部に上下方向に弾性的に支持され床面をブラッシングする電動ブラッシング機構と、前記装置本体に設けられ床面に向って開口し、床面に噴射された洗浄液を汚染物質とともに吸引力によって吸引する吸引手段と、前記装置本体に設けられ前記吸引手段によって吸引した洗浄液を汚染物質とともに貯留する貯留タンクと、前記装置本体の底部に上下方向に弾性的に支持され、前記噴射手段及び前記吸引手段よりも後側で、床面に接触して設けられ床面に噴射された洗浄液を汚染物質とともに掻き集めて前記吸引手段の吸引側に導くスクレーパーとを具備したことを特徴とする。
【０００９】
好ましくは、前記装置本体の底部には、弾性部材によって上下方向に弾性的に支持された支持部材を有し、この支持部材によって前記噴射手段、前記電動ブラッシング機構、吸引手段及びスクレーパーが支持されていることを特徴とする。
【００１０】
好ましくは、前記吸引手段は、バキュームポンプと、このバキュームポンプと配管を介して連通し、床面に向って開口する吸引ノズルを有し、前記配管の途中には吸引ホースを着脱可能に接続する接続部が設けられていることを特徴とする。
【００１１】
好ましくは、前記装置本体の後部には、床面を拭取るウエス拭取り機構が着脱可能に設けられている。
【００１２】
請求項５の発明は、床面を洗浄液で洗浄する床面洗浄装置であって、複数のキャスタを有し、床面を走行可能な装置本体と、前記装置本体に搭載された洗浄液タンクと、前記装置本体に設けられ前記洗浄液タンクから供給された洗浄液を加圧して前記床面に噴射する噴射ノズルを有する洗浄液噴射機構と、前記噴射ノズルより後方の装置本体に設けられ前記床面に向って開口する吸引ノズルを有し、前記床面に噴射された洗浄液を汚染物質とともに吸引する吸引機構と、前記装置本体に搭載され前記吸引機構によって吸引した洗浄液を汚染物質とともに貯留する貯留タンクと、を具備したことを特徴とする。
【００１３】
前記洗浄液噴射機構は、好ましくは、モータによって回転する回転体と、この回転体と連動して往復運動する回動アームと、前記装置本体の前部に幅方向全体に亘って設けられたリニアガイドと、このリニアガイドに支持され前記回動アームと連動して前記装置本体の幅方向に往復直線運動する支持部材と、この支持部材に固定された前記噴射ノズルとから構成されていることを特徴とする。
【００１４】
前記洗浄液噴射機構は、さらに好ましくは、前記装置本体の前部に幅方向全体に亘って架設され、モータによって回転するボールねじ軸と、このボールねじ軸に螺合され、該ボールねじ軸の回転に伴って前記装置本体の幅方向に往復直線運動するナット部を有する支持部材と、この支持部材に固定された前記噴射ノズルとから構成されていることを特徴とする。
【００１５】
前記装置本体の前部における少なくとも両側部には、好ましくは、前記噴射ノズルから前記床面に噴射された洗浄液の跳ね返り液の飛散を阻止する遮蔽板が前記床面に接近して設けられていることを特徴とする。
【発明の効果】
【００１６】
請求項１の発明によれば、洗浄液を加温した高温スチームを加圧して床面に噴射するため、その圧力によって床面を洗浄することができ、特に油汚れに対する洗浄力に優れ、しかも、電動ブラッシング機構によって床面にしつこく付着した汚染物質まで床面から剥離して能率よく洗浄することが可能となる。
【００１７】
請求項５の発明によれば、洗浄液を加圧して床面に噴射するため、その圧力によって床面を洗浄することができるとともに、床面に噴射された洗浄液を汚染物質とともに吸引することができる。従って、洗浄力に優れ、しかも床面を拭取ることなく、床面の水分を除去でき、能率よく洗浄することが可能となる。
【発明を実施するための最良の形態】
【００１８】
以下、この発明の各実施の形態を図面に基づいて説明する。
【００１９】
図１〜図４は、床面洗浄装置の第１の実施形態を示し、床面洗浄装置は装置本体１を備えている。この装置本体１は底部２を構成するフレーム３を備え、底部２の下面四隅部にはキャスタ４ａ，４ｂが設けられている。装置本体１の前部１ａに設けられたキャスタ４ａは、底部２を貫通する昇降軸５がコイルばね６によって上下方向に弾性的に支持され、装置本体１の後部に設けられたキャスタ４ｂは底部２にブラケット７によって固定されている。そして、装置本体１はキャスタ４ａ，４ｂによって床面Ｗを走行可能となっている。なお、８は装置本体１の後部１ｂに設けられた手押し式の取手であり、フレーム３に固定されている
底部２の下部で、キャスタ４ａと４ｂとの間には支持部材９が設けられている。この支持部材９は底部２を昇降自在に貫通する複数本の昇降軸１０に支持され、これら昇降軸１０には支持部材９と底部２との間に介在されたコイルばね１１が設けられている。そして、底部２の下部に支持部材９は上下方向に弾性的に支持されている。
【００２０】
装置本体１の前部１ａには底部２に対して支持台１２が設けられ、支持台１２上には洗剤を含む洗浄液をヒーター（図示しない）を加温して高温スチームを発生する高温スチーム発生手段としてのボイラー１３が搭載されている。ボイラー１３は洗浄液を収容するボイラータンク１４を備え、このボイラータンク１４には洗剤を含む洗浄液を供給する供給口１５とスチーム噴出し口１６が設けられている。
【００２１】
スチーム噴出し口１６にはスチーム配管１７が接続され、このスチーム配管１７はボイラー１３によって発生した高温スチームを床面Ｗに向けて噴射する噴射手段としての噴射ノズル１８が設けられている。噴射ノズル１８は複数個からなり、支持部材９に床面Ｗに向けて固定されている。ここで、噴射ノズル１８から発生する高温スチームの温度は１００℃であり、噴射ノズル１８と床面Ｗとの間隔は１．５〜２．５ｍｍに設定されているため、床面Ｗに噴射される高温スチームの温度は８０〜９０℃である。従って、特に油汚れに対して優れた洗浄力を発揮する。
【００２２】
噴射ノズル１８より後部に位置する支持部材９の下部には床面Ｗをブラッシングする電動ブラッシング機構としての例えば２本のロール状の回転ブラシ１９が設けられている。回転ブラシ１９はベルトまたはギア等の伝達部材（図示しない）を介して電動機２０に伝動され、高速回転して床面Ｗをブラッシングするようになっている。
【００２３】
また、回転ブラシ１９より後部に位置する支持部材９の下部には床面Ｗに向って開口し、床面Ｗに噴射された洗浄液を汚染物質とともに吸引力によって吸引する吸引手段を構成する吸引ノズル２１が設けられている。この吸引ノズル２１は下面が開放し、平面形状が前方に向って広がるへの字状をなしていて、上面の中間部には吸引配管２２の一端部が接続されている。吸引配管２２の他端部は吸引手段を構成するバキュームポンプ２３の吸引部２４を介して吸引した洗浄液を汚染物質とともに貯留する貯留タンク２５に接続されている。バキュームポンプ２３及び貯留タンク２５は底部２上に搭載され、貯留タンク２５はカートリッジ式に着脱可能に設けられている。
【００２４】
装置本体１の底部２上にはバッテリー２６が搭載され、電動機２０及びバキュームポンプ２３に給電するようになっている。さらに、吸引配管２２の途中には接続部としての吸引接続口２７が設けられ、この吸引接続口２７には予備的な吸引ホース２８が着脱可能に接続できるようになっている。吸引ホース２８は作業者が持って床面Ｗの隅々の塵埃や洗浄液を汚染物質とともに吸引できるようになっている。
【００２５】
吸引ノズル２１よりも後側には床面Ｗに噴射された洗浄液を汚染物質とともに掻き集めて吸引ノズル２１の吸引側に導くスクレーパー２９が設けられている。吸引ノズル２１とスクレーパー２９は装置本体１の側部より外方に突出しており、スクレーパー２９はシリコンラバー等で、床面Ｗに接触して設けられている。
【００２６】
さらに、装置本体１の後部１ｂには床面Ｗを拭取るウエス拭取り機構３０が底部２に対して着脱可能に設けられている。ウエス拭取り機構３０は吸水性に優れた布等のロール３１を備え、床面Ｗを拭取るようになっている。
【００２７】
装置本体１はドーム状のカバー３２によって覆われており、カバー３２の側部には前記吸引接続口２７が開口し、吸引ホース２８が着脱可能に接続できるようになっている。また、カバー３２にはメンテナンス用の開閉蓋３３が設けられている。
【００２８】
前述のように構成された床面洗浄装置は、装置本体１の底部２にコイルばね１１によって上下方向に弾性的に支持された支持部材９に噴射ノズル１８、回転ブラシ１９、吸引ノズル２１及びスクレーパー２９が支持されている。従って、床面Ｗの凹凸に対して噴射ノズル１８、回転ブラシ１９、吸引ノズル２１及びスクレーパー２９が追従するという効果がある。また、回転ブラシ１９によって床面Ｗを摺擦するため、床面Ｗにしつこく付着した汚染物質まで床面Ｗから剥離したのち吸引ノズル２１によって吸引できる。
【００２９】
次に、第１の実施形態の床面洗浄装置の作用を説明する。
【００３０】
作業者は、取手８を把持して装置本体１を前方へ押して走行させれば、装置本体１を任意の位置に移動できる。装置本体１の移動中、噴射ノズル１８からボイラー１３によって発生した洗浄液の高温スチームが床面Ｗに向けて噴射し、噴射される洗浄液によって床面Ｗを洗浄することができる。つまり、床面Ｗ上に付着していた汚染物質は床面Ｗから剥離され、浮き上がった状態となる。
【００３１】
噴射ノズル１８から洗浄液を噴射させ、床面Ｗを洗浄しながら装置本体１を前方へ走行させれば、床面Ｗに噴射された洗浄液は、床面Ｗを洗浄した直後にバキュームポンプ２３の吸引力によって吸引ノズル２１に吸引される。つまり、噴射ノズル１８から床面Ｗに噴射された洗浄液は、床面Ｗを洗浄した後、吸引ノズル２１によって吸引され、貯留タンク２５に貯留される。このとき、回転ブラシ１９によって床面Ｗを摺擦するため、床面Ｗにしつこく付着した汚染物質まで床面Ｗから剥離したのち吸引ノズル２１によって吸引できる。さらに、床面Ｗに残った洗浄液はスクレーパー２９によって掻き集められ、吸引ノズル２１に導かれるとともに、床面Ｗはウエス拭取り機構３０によって拭取られる。
【００３２】
また、吸引接続口２７に吸引ホース２８を接続し、吸引ホース２８を作業者が持って床面Ｗの隅々の塵埃や洗浄液を汚染物質とともに吸引できる。
【００３３】
図５〜図１０は、床面洗浄装置の第２の実施形態を示し、図５及び図６に示すように、床面洗浄装置は装置本体４１を備えている。この装置本体４１は下部フレーム４２ａ、上部フレーム４２ｂを備え、下部フレーム４２ａの四隅部にはキャスタ４３ａ，４３ｂが設けられている。装置本体４１の後部には制御ボックス４４が設けられ、この上面には制御盤４５が設けられている。なお、４６は装置本体４１の手押し式の取手である。
【００３４】
装置本体４１の内部には洗浄液噴射機構４７が設けられている。洗浄液噴射機構４７は上部フレーム４２ａに着脱自在に搭載され、水道水等の洗浄液を収容する洗浄液タンク４８を備えている。洗浄液タンク４８は、図７に示すように、送水ホース４９ａを介して加圧ポンプ５０に接続され、この加圧ポンプ５０は送水ホース４９ｂを介して噴射ノズル５１に接続されている。加圧ポンプ５０は制御盤４５と接続される第１のモータ５２によって駆動されるようになっている。
【００３５】
洗浄液噴射機構４７について説明を加えると、図８及び図９に示すように構成されている。装置本体４１に前部には前部フレーム４２ｃが設けられている。この前部フレーム４２ｃには制御盤４５と接続される第２のモータ５３が回転軸５４を装置本体４１の前方に向けた状態に固定されている。回転軸５４には円板状の回転体５５が嵌着されている。回転体５５の隣側に位置する前部フレーム４２ｃには枢支軸５６を支点として往復運動自在に枢支された回動アーム５７が設けられている。回動アーム５７の上端部と回転体５５の周縁部との間は連結ロッド５８によって連結されている。そして、回転体５５の回転運動によって連結ロッド５８がクランク運動して回動アーム５７が枢支軸５６を支点として往復運動するようになっている。
【００３６】
さらに、前部フレーム４２ｃの下方には横方向にリニアガイド５９が架設されている。このリニアガイド５９は断面がコ字状の一対のガイドレール６０によって構成され、一対のガイドレール６０間には転動ローラ６１を有する支持部材６２が直線往復運動自在に支持されている。支持部材６２には一対のガイドレール６０の間隔を貫通して前方に突出する鍔付きのカムローラ６３が固定されている。このカムローラ６３には前記回動アーム５７の下端部に設けられたガイド溝６４が嵌合されている。そして、回動アーム５７の回動運動によって支持部材６２がリニアガイド５９にガイドされて装置本体４１の幅方向に直線往復運動するようになっている。支持部材６２に固定されたカムローラ６３の主軸６５には前記噴射ノズル５１がその噴射口を床面Ｗに向けて垂直に設けられ、加圧された洗浄液６６が床面Ｗに噴射されるようになっている。
【００３７】
また、図５及び図７に示すように、装置本体４１の内部には吸引機構６７が設けられている。吸引機構６７は下部フレーム４２ａに着脱自在に搭載された貯留タンク６８及び吸引ポンプ６９を備えている。吸引ポンプ６９は制御盤４５と接続される第３のモータ７０によって駆動されるようになっている。吸引ポンプ６９の吸引口は吸引配管７１を介して吸引ノズル７２と接続され、床面Ｗの洗浄液を汚染物質とともに吸引して貯留タンク６８に収容するようになっている。
【００３８】
吸引配管７１の途中には手動式の三方切換弁７３が設けられ、三方切換弁７３には吸引接続口７４が設けられている。この吸引接続口７４には吸引ホース７５を接続し、吸引ホース７５を作業者が持って床面Ｗの隅々の塵埃や洗浄液を汚染物質とともに吸引できるようになっている。
【００３９】
吸引機構６７について説明を加えると、図８及び図９に示すように構成されている。装置本体４１の前部フレーム４２ｃの下方で、前記噴射ノズル５１より後方には前記吸引ノズル７２が装置本体４１の幅方向全体に亘って設けられている。吸引ノズル７２は装置本体４１の幅方向に長い長方形状のノズル本体７６の下面に長手方向全長に亘って床面Ｗに対向する吸引口を有している。
ノズル本体７６の長手方向の両端部には装置本体４１の両側部において上方へ突出し、床面Ｗに噴射された洗浄液の跳ね返り液の飛散を阻止する遮蔽板７７が固定されている。従って、吸引ノズル７２は、ノズル本体７６とその長手方向の両端部の遮蔽板７７とで平面視で、前方に開口するコ字型をなしている。さらに、吸引ノズル７２は昇降機構、制御盤４５と接続されるソレノイド等のアクチュエータ７８によって昇降可能に支持されている。すなわち、装置本体４１の運搬時（床面Ｗを単に移動するとき）にはアクチュエータ７８によって吸引ノズル７２を上昇させ、床面Ｗと離間させて床面Ｗの凸部障害物と干渉しないようになっている。また、装置本体４１の使用時（床面Ｗの洗浄時）にはアクチュエータ７８によって吸引ノズル７２を下降させ、床面Ｗと接近させて床面Ｗの洗浄液を汚染物質とともに効率的に吸引できるようになっている。さらに、吸引ノズル７２のノズル本体７６の前方には上端部を前部フレーム４２ｃに固定して垂れ下げた飛散防止シート７９が設けられ、噴射ノズル５１から噴射した洗浄液６６が吸引ノズル７２側に飛散するのを防止している。
前述したように装置本体４１の前部には洗浄液噴射機構４７と吸引機構６７が設けられており、これら機構は図５及び図６に示すように、開閉可能な前面カバー８０によって覆われている。
また、装置本体４１の上部フレーム４２ｂには１２Ｖの２台のバッテリー８１が着脱可能に搭載され、前記制御盤４５に接続されている。２台のバッテリー８１は２セット用意され、一方のバッテリー８１を搭載して洗浄装置稼動中に、他のバッテリー８１を充電器（図示しない）で充電できるようになっている。
【００４０】
次に、第２の実施形態の床面洗浄装置の作用を説明する。
【００４１】
作業者は、取手４６を把持して装置本体４１を前方へ押して走行させれば、装置本体４１を任意の位置に移動できる。装置本体４１を床面Ｗ上を移動中、制御盤４５を操作して加圧ポンプ５０を駆動すると、噴射ノズル５１から高圧の洗浄液６６が床面Ｗに向けて噴射される。噴射される洗浄液６６は高圧であるため床面Ｗ上に付着していた汚染物質は床面Ｗから剥離され、浮き上がった状態となる。
【００４２】
このとき、第２のモータ５３によって回転体５５が回転し、回転体５５の回転運動が連結ロッド５８のクランク運動によって回動アーム５７に連動するため、回動アーム５７が枢支軸５６を支点として回動する。回動アーム５７の回動によって支持部材６２がリニアガイド５９にガイドされて装置本体４１の幅方向に直線往復運動する。従って、支持部材６２に固定された噴射ノズル５１が装置本体４１の幅方向に直線往復運動するため、床面Ｗに対する加圧力が幅方向に均等に、しかも幅広く洗浄液６６を床面Ｗに噴射できる。
【００４３】
また、噴射ノズル５１の後方に設けられた吸引ノズル７２は床面Ｗに対向する吸引口を有し、しかも吸引ポンプ６９によって吸引している。また、吸引ノズル７２はアクチュエータ７８によって下降されており、床面Ｗと接近しているため、床面Ｗの洗浄液を汚染物質とともに効率的に吸引できる。つまり、床面Ｗの上面の洗浄液を略完全に吸引することができ、床面Ｗの水分を拭取ることが不要となる。また、吸引ノズル７２のノズル本体７６には床面Ｗに噴射された洗浄液６６の跳ね返り液の飛散を阻止する遮蔽板７７が固定されているため、洗浄液６６が装置本体４１の前面カバー８０の下縁部から外部に飛散することもない。
このように、作業者は、取手４６を把持して装置本体４１を前方へ押して床面Ｗを走行させるだけで、噴射ノズル５１から高圧の洗浄液６６を床面Ｗに噴射して床面Ｗ上に付着していた汚染物質を床面Ｗから剥離させ、浮き上がった汚染物質を洗浄液６６と一緒に吸引ノズル７２によって吸引して貯留タンク６８に貯留できる。
なお、洗浄液タンク４８内の洗浄液６６が空になった場合には洗浄作業をいったん停止し、洗浄液タンク４８に洗浄液６６を補給する。貯留タンク６８が汚染物質を含む洗浄液６６によって満杯になった場合には洗浄作業をいったん停止し、貯留タンク６８中の汚染物質を含む洗浄液６６を廃棄する。
図１０は第３の実施形態を示し、第２の実施形態の洗浄液噴射機構４７の他の実施形態である。装置本体４１の前部には装置本体４１の幅方向に亘ってボールねじ軸８２が架設されている。このボールねじ軸８２は軸部に右ねじ８２ａと左ねじ８２ｂを交差するように刻設したものであり、ボールねじ軸８２の一端部にはサーボモータ８４が連結されている。ボールねじ軸８２には右ねじ８２ａと左ねじ８２ｂに係合するナット部８５が嵌合され、ボールねじ機構が構成されている。
【００４４】
ナット部８５はリニアガイド５９に直線移動自在に支持された支持部材６２に固定され、ナット部８５には噴射ノズル５１が固定されている。従って、ボールねじ軸８２の回転によって右ねじ８２ａと係合したナット部８５が右方向に移動してボールねじ軸８２の一端部に到達すると、ナット部８５が左ねじ８２ｂに係合して左方向に移動し、噴射ノズル５１が装置本体４１の幅方向に往復直線運動することになる。噴射ノズル５１の床面Ｗに対する加圧力が幅方向に均等に、しかも幅広く洗浄液６６を床面Ｗに噴射できる。
【産業上の利用可能性】
【００４５】
この発明の床面洗浄装置は、ビルやマンションのロビーや廊下或いは地下通路などのような広い床面の洗浄に利用できる。
【図面の簡単な説明】
【００４６】
【図１】この発明の第１の実施形態を示す床面洗浄装置の縦断側面図。
【図２】同実施形態の床面洗浄装置の斜視図。
【図３】同実施形態の床面洗浄装置の側面図。
【図４】同実施形態の床面洗浄装置の正面図。
【図５】この発明の第２の実施形態を示す床面洗浄装置の側面図。
【図６】同実施形態の床面洗浄装置の正面図。
【図７】同実施形態の床面洗浄装置の配管図。
【図８】同実施形態の床面洗浄装置の前面カバーを取り外した状態の斜視図。
【図９】同実施形態の床面洗浄装置の前面カバーを取り外した状態の斜視図。
【図１０】この発明の第３の実施形態を示す床面洗浄装置の前面カバーを取り外した状態の正面図。
【符号の説明】
【００４７】
１、４１…装置本体、４ａ，４ｂ，４２ａ，４２ｂ…キャスタ、９…支持部材、１３…ボイラー、１８，５１…噴射ノズル、１９…回転ブラシ、２１，７２…吸引ノズル、２３…バキュームポンプ、２５，６８…貯留タンク、２９…スクレーパー、４７…洗浄液噴射機構、４８…洗浄液タンク、６７…吸引機構
【図１】
2006255398.tif 000003
【図２】
2006255398.tif 000004
【図３】
2006255398.tif 000005
【図４】
2006255398.tif 000006
【図５】
2006255398.tif 000007
【図６】
2006255398.tif 000008
【図７】
2006255398.tif 000009
【図８】
2006255398.tif 000010
【図９】
2006255398.tif 000011
【図１０】
2006255398.tif 000012